(57)【要約】【課題】  現金が無くなっても銀行に行くことなくプレイ続行でき、かつ銀行への用事で遊技台がキープされ、ホール稼働率が低下することを防止する。【解決手段】  遊技客がカード挿入／排出口８０７にデビットカード８１を挿入し、キー操作部８０６より暗証番号、引き落とし金額を入力すると、デビット端末８０は、情報処理センタ５にアクセスし、上記引き落とし金額での決済処理を行い、該決済処理完了後、決済金額をカード発行機６０に通知する。カード発行機６０は、デビット端末８０から通知された金額を金額表示部６０７に表示し、かつその金額の範囲内で選択ボタン６０６を点灯する。この点灯中のいずれかの選択ボタン６０６が押下されると、カード発行機６０は、該選択ボタン６０６に対応する金額のプリペイドカード６１をカード排出口６０９から発行する。【選択図】  図２
2006341123.tif 000002
【特許請求の範囲】
【請求項１】
有価価値が関連付けられた記録媒体を受け入れ、該有価価値に基づいて遊技媒体を貸し出す処理を行う記録媒体処理装置と、前記遊技媒体を用いて遊技を行う遊技機とを有する遊技システムに設けられる遊技料金処理ユニットであって、
デビットカードからカード情報を読み取り、該カード情報と指定金額とを通信回線を介してデビットシステムのセンタ処理装置に送信することにより、該センタ処理装置に当該カード情報に対応した口座から前記指定金額を引き落とす決済処理を行わせる決済処理手段と、
前記決済処理手段による前記決済処理の完了により該決済処理に係わる指定金額の範囲内で選択された金額に対応した有価価値が関連付けられた記録媒体を発行する媒体発行手段と
を具備することを特徴とする遊技料金処理ユニット。
【請求項２】
前記決済処理手段は、
決済する金額を指定する金額指定手段と、
前記金額指定手段により指定された金額を前記指定金額として前記決済処理を行った後、該決済処理の完了及び該決済処理に係わる指定金額を前記媒体発行手段に通知する通知手段と
を具備し、
前記媒体発行手段は、
発行する記録媒体の有価価値に対応する金額を選択する選択手段と、
前記通知手段により通知された前記指定金額の範囲で前記選択手段による金額の選択を受け付け、該選択された金額に対応する有価価値が関連付けられた記録媒体を発行するように制御する制御手段と
を具備することを特徴とする請求項１記載の遊技料金処理ユニット。
【請求項３】
前記媒体発行手段は、
前記通知手段で通知された前記決済処理に係わる指定金額と実際に発行された記録媒体の有価価値に対応する金額との差額を算出する差額算出手段と、
前記差額算出手段で算出された差額に応じた現金を払い出す現金払出手段と
を更に具備することを特徴とする請求項２記載の遊技料金処理ユニット。
【請求項４】
前記決済処理手段は、
前記デビットカードの受け入れ後、前記媒体発行手段に前記記録媒体の発行に係わる操作要求を送信する操作要求送信手段と、
前記操作要求送信手段による前記操作要求の送信の後、前記媒体発行手段から通知される金額を前記指定金額として前記決済処理を行い、該決済処理の完了を前記媒体発行手段に通知する決済処理完了通知手段と
を具備し、
前記媒体発行手段は、
発行する記録媒体の有価価値に対応する金額を選択する選択手段と、
前記要求送信手段により送信された前記操作要求を受けることにより、前記選択手段による金額の選択を受け付け、該選択された金額を前記決済処理手段に通知する金額通知手段と、
前記金額通知手段による金額の通知後、前記決済処理完了通知手段により前記決済処理の完了通知を受けることにより、前記選択手段で選択された金額に対応する有価価値が関連付けられた記録媒体を発行するように制御する制御手段と
を具備することを特徴とする請求項１記載の遊技料金処理ユニット。
【請求項５】
現金を払い出す現金払出手段を具備するとともに、
前記選択手段は、
発行する記録媒体の有価価値に対応する金額を選択する第１の選択ボタンと、
発行する記録媒体の有価価値に対応する金額及び現金払出金額の両者を同時に選択する第２の選択ボタンと
を具備し、
前記金額通知手段は、
前記第１の選択ボタンにより前記有価価値に対応する金額が選択された場合、該金額を前記決済処理手段に通知する第１の通知手段と、
前記第２の選択ボタンにより前記有価価値に対応する金額及び現金払出金額の両者が選択された場合、該有価価値に対応する金額と前記現金払出金額とを合算した金額を前記決済処理手段に通知する第２の通知手段と
を具備し、
前記制御手段は、
前記第１の通知手段による金額の通知後、前記決済処理完了通知手段により前記決済処理の完了通知を受けることにより、前記第１の選択ボタンで選択された金額に対応する有価価値が関連付けられた記録媒体を発行するように制御する第１の制御手段と、
前記第２の通知手段による金額の通知後、前記決済処理完了通知手段により前記決済処理の完了通知を受けることにより、前記第２の選択ボタンで選択された金額に対応する有価価値が関係付けられた記録媒体を発行するとともに前記現金払出金額の現金を払い出すように制御する第２の制御手段と
を具備することを特徴とする請求項４記載の遊技料金処理ユニット。
【請求項６】
現金を払い出す現金払出手段を具備するとともに、
前記選択手段は、
発行する記録媒体の有価価値に対応する金額を選択する第１の選択ボタンと、
現金払出金額を選択する第２の選択ボタンと
を具備し、
前記金額通知手段は、
前記第１の選択ボタンにより前記記録媒体の有価価値に対応する金額のみが選択された場合、該有価価値に対応する金額を前記決済処理手段に通知する第１の通知手段と、
前記第１の選択ボタンにより前記記録媒体の有価価値に対応する金額が選択され、かつ前記第２の選択ボタンにより前記現金払出金額が選択された場合は、該有価価値に対応する金額と該現金払出金額とを合算した金額を前記決済処理手段に通知する第２の通知手段と、
前記第２の選択ボタンにより前記現金払出金額のみが選択された場合は、該現金払出金額を前記決済処理端末に通知する第３の通知手段と
を具備し、
前記制御手段は、
前記第１の通知手段による金額の通知後、前記決済処理完了通知手段により前記決済処理の完了通知を受けることにより、前記第１の選択ボタンで選択された金額に対応する有価価値が関連付けられた記録媒体を発行するように制御する第１の制御手段と、
前記第１の通知手段による金額の通知後、前記決済処理完了通知手段により前記決済処理の完了通知を受けることにより、前記第１の選択ボタンで選択された金額に対応する有価価値が関係付けられた記録媒体を発行するとともに前記第２の選択手段で選択された現金払出金額を払い出すように制御する第２の制御手段と、
前記第１の通知手段による金額の通知後、前記決済処理完了通知手段により前記決済処理の完了通知を受けることにより、前記第２の選択ボタンで選択された前記現金払出金額の現金を払い出すように制御する第３の制御手段と
を具備することを特徴とする請求項４記載の遊技料金処理ユニット。
【発明の詳細な説明】
【技術分野】
【０００１】
本発明は、パチンコ店等の遊技場に設置され、プリペイドカード等の遊技用記録媒体を受け入れて、該記録媒体に関連する有価価値に応じて遊技媒体を貸し出すカードシステムを備えた遊技システムに係わり、詳しくは、遊技媒体の貸し出しにデビットカードも併用できるようにした遊技料金処理ユニットに関する。
【背景技術】
【０００２】
この種の遊技システムのうち、例えば、パチンコ店に設置されるものにおいては、特許文献１に示されるように、遊技客がカード発行機にて予めプリペイドカードを購入し、遊技台（パチンコ台）の横に設置されたカード処理ユニットにそのカードを挿入した状態で指定した金額に応じて該遊技台のプレイに必要な遊技媒体（パチンコ玉）の貸し出しを受けてこの遊技台によるプレイを楽しむシステムが知られている。
【０００３】
パチンコ店に設置される遊技台には、パチンコ台の他、パチスロマシン等もある。従って、パチンコ店で発行されるプリペイドカードで貸し出し可能な遊技媒体としては、パチンコ玉やメダル等があり、これら遊技媒体の貸し出しは、当該カードの残額がなくなるまで可能であり、また、残額がある状態で途中で止めようとした場合には、上記ユニットに設けられたカード返却ボタンを押すことで、当該残額が記録されたカードが返却されるようになっている。
【０００４】
従来、こうした遊技用プリペイドカードは、カード発行機に現金を投入して、その範囲内でカードの金額を選択ボタンで指定してその発行を受けるものが一般的である。
【０００５】
従って、従来では、プリペイドカードの残額が無くなり、新たなプリペイドカードを購入しようとした時、現金の持ち合わせが無い場合には、銀行に行ってキャッシュディスペンサで現金を引き落としてくる等の必要があり、特に、プレイに興が乗って急いでプレイを再開しようとしている遊技客にとっては非常に面倒なことであった。
【０００６】
また、この様な状況下において、時として、遊技客が現金が無くなる前までのプレイ中の結果からその遊技台を気に入り、他人にとられまいとしてその遊技台をキープしておいて、銀行に出向いて現金の引き出しを行ってきてから再プレイに入るといったことも起こり得る。
【０００７】
この場合、遊技場側から見れば、遊技台がキープされている期間、当該遊技台からの売り上げが止まるため、ホールの稼働率が低下するおそれがあった。
【特許文献１】特開平０９−２９９６０１号公報
【発明の開示】
【発明が解決しようとする課題】
【０００８】
上述の如く、従来システムでは、現金が無くなった後もプレイを続行したい場合、銀行に行って現金を引き出すなどして現金を入手した後、再プレイに戻る以外になく、遊技客によっては、銀行に行く等の手間が発生し、遊技場にとっては、銀行へ行って戻るまでの期間、遊技台がキープされた場合、ホールの稼働率が低下し、売り上げが減少するという問題点があった。
【０００９】
本発明は上記問題点を解消し、遊技客にとっては、現金が無くなってもわざわざ銀行に行くことなく遊技用媒体を購入してプレイを続けることができ、遊技場側にとっては、銀行への用事で遊技台がキープされることを防止し、ホール稼働率を低下させることなく売り上げ増が期待できる遊技料金処理ユニットを提供することを目的とする。
【課題を解決するための手段】
【００１０】
上記目的を達成するため、請求項１の発明は、有価価値が関連付けられた記録媒体を受け入れ、該有価価値に基づいて遊技媒体を貸し出す処理を行う記録媒体処理装置と、前記遊技媒体を用いて遊技を行う遊技機とを有する遊技システムに設けられる遊技料金処理ユニットであって、デビットカードからカード情報を読み取り、該カード情報と指定金額とを通信回線を介してデビットシステムのセンタ処理装置に送信することにより、該センタ処理装置に当該カード情報に対応した口座から前記指定金額を引き落とす決済処理を行わせる決済処理手段と、前記決済処理手段による前記決済処理の完了により該決済処理に係わる指定金額の範囲内で選択された金額に対応した有価価値が関連付けられた記録媒体を発行する媒体発行手段とを具備することを特徴とする。
【００１１】
また、請求項２の発明は、請求項１の発明において、前記決済処理手段は、決済する金額を指定する金額指定手段と、前記金額指定手段により指定された金額を前記指定金額として前記決済処理を行った後、該決済処理の完了及び該決済処理に係わる指定金額を前記媒体発行手段に通知する通知手段とを具備し、前記媒体発行手段は、発行する記録媒体の有価価値に対応する金額を選択する選択手段と、前記通知手段により通知された前記指定金額の範囲で前記選択手段による金額の選択を受け付け、該選択された金額に対応する有価価値が関連付けられた記録媒体を発行するように制御する制御手段とを具備することを特徴とする。
【００１２】
また、請求項３の発明は、請求項２の発明において、前記媒体発行手段は、前記通知手段で通知された前記決済処理に係わる指定金額と実際に発行された記録媒体の有価価値に対応する金額との差額を算出する差額算出手段と、前記差額算出手段で算出された差額に応じた現金を払い出す現金払出手段とを更に具備することを特徴とする。
【００１３】
また、請求項４の発明は、請求項１の発明において、前記決済処理手段は、前記デビットカードの受け入れ後、前記媒体発行手段に前記記録媒体の発行に係わる操作要求を送信する操作要求送信手段と、前記操作要求送信手段による前記操作要求の送信の後、前記媒体発行手段から通知される金額を前記指定金額として前記決済処理を行い、該決済処理の完了を前記媒体発行手段に通知する決済処理完了通知手段とを具備し、前記媒体発行手段は、発行する記録媒体の有価価値に対応する金額を選択する選択手段と、前記要求送信手段により送信された前記操作要求を受けることにより、前記選択手段による金額の選択を受け付け、該選択された金額を前記決済処理手段に通知する金額通知手段と、前記金額通知手段による金額の通知後、前記決済処理完了通知手段により前記決済処理の完了通知を受けることにより、前記選択手段で選択された金額に対応する有価価値が関連付けられた記録媒体を発行するように制御する制御手段とを具備することを特徴とする。
【００１４】
また、請求項５の発明は、請求項４の発明において、現金を払い出す現金払出手段を具備するとともに、前記選択手段は、発行する記録媒体の有価価値に対応する金額を選択する第１の選択ボタンと、発行する記録媒体の有価価値に対応する金額及び現金払出金額の両者を同時に選択する第２の選択ボタンとを具備し、前記金額通知手段は、前記第１の選択ボタンにより前記有価価値に対応する金額が選択された場合、該金額を前記決済処理手段に通知する第１の通知手段と、前記第２の選択ボタンにより前記有価価値に対応する金額及び現金払出金額の両者が選択された場合、該有価価値に対応する金額と前記現金払出金額とを合算した金額を前記決済処理手段に通知する第２の通知手段とを具備し、前記制御手段は、前記第１の通知手段による金額の通知後、前記決済処理完了通知手段により前記決済処理の完了通知を受けることにより、前記第１の選択ボタンで選択された金額に対応する有価価値が関連付けられた記録媒体を発行するように制御する第１の制御手段と、前記第２の通知手段による金額の通知後、前記決済処理完了通知手段により前記決済処理の完了通知を受けることにより、前記第２の選択ボタンで選択された金額に対応する有価価値が関係付けられた記録媒体を発行するとともに前記現金払出金額の現金を払い出すように制御する第２の制御手段とを具備することを特徴とする。
【００１５】
また、請求項６の発明は、請求項４の発明において、現金を払い出す現金払出手段を具備するとともに、前記選択手段は、発行する記録媒体の有価価値に対応する金額を選択する第１の選択ボタンと、現金払出金額を選択する第２の選択ボタンとを具備し、前記金額通知手段は、前記第１の選択ボタンにより前記記録媒体の有価価値に対応する金額のみが選択された場合、該有価価値に対応する金額を前記決済処理手段に通知する第１の通知手段と、前記第１の選択ボタンにより前記記録媒体の有価価値に対応する金額が選択され、かつ前記第２の選択ボタンにより前記現金払出金額が選択された場合は、該有価価値に対応する金額と該現金払出金額とを合算した金額を前記決済処理手段に通知する第２の通知手段と、前記第２の選択ボタンにより前記現金払出金額のみが選択された場合は、該現金払出金額を前記決済処理端末に通知する第３の通知手段とを具備し、前記制御手段は、前記第１の通知手段による金額の通知後、前記決済処理完了通知手段により前記決済処理の完了通知を受けることにより、前記第１の選択ボタンで選択された金額に対応する有価価値が関連付けられた記録媒体を発行するように制御する第１の制御手段と、前記第１の通知手段による金額の通知後、前記決済処理完了通知手段により前記決済処理の完了通知を受けることにより、前記第１の選択ボタンで選択された金額に対応する有価価値が関係付けられた記録媒体を発行するとともに前記第２の選択手段で選択された現金払出金額を払い出すように制御する第２の制御手段と、前記第１の通知手段による金額の通知後、前記決済処理完了通知手段により前記決済処理の完了通知を受けることにより、前記第２の選択ボタンで選択された前記現金払出金額の現金を払い出すように制御する第３の制御手段とを具備することを特徴とする。
【発明の効果】
【００１６】
本発明によれば、デビットカードを利用して媒体発行手段から指定金額に応じた遊技用記憶媒体を発行可能にしたため、現金が無くなってプレイを続けたい場合も、遊技場内で、デビットカードを用いてプリペイドカード等の遊技用の記憶媒体を取得でき、遊技客に対して、わざわざ銀行へ行って来る手間をとらせずに済み、プレイに専念させることができる。また、遊技場側にとっては、遊技客が銀行へ入って現金を引き出し戻るまでの期間遊技台が無駄にキープされるといった事態を回避でき、ホール稼働率を低下を防止して売り上げの増大を図ることができる。
【００１７】
また、本発明では、遊技用の記憶媒体のみの発行または遊技用の記憶媒体の発行と現金払い出しの同時処理若しくは現金のみの払い出しを行うようにしたため、ユーザのニーズに応じた様々なパターンで遊技用の記録媒体とキャッシュアウトを同時処理ができ、遊技用の記憶媒体の発行とキャッシュアウトのためにデビットシステムのセンタ処理装置へアクセスする回数を１回に抑えて、決済手数料及び手間を低減できる。
【発明を実施するための最良の形態】
【００１８】
以下、本発明に係る一実施の形態を添付図面を参照して詳細に説明する。
【００１９】
図１は、本発明の遊技システムの全体構成を示すブロック図である。
【００２０】
図１において、この遊技システムは、パチンコ店などの遊技場に設置されるシステムを前提としている。
【００２１】
この遊技システムの核であるパチンコ店３〔３−１，３−２，〜，３−ｎ（ｎ：任意の整数）〕内には、商品交換業務を行うカウンタ部１０、該パチンコ店３の会員の遊技情報を管理するターミナルコントローラ（Ｔ／Ｃ）２０、複数の島が設置され、これらカウンタ部１０、Ｔ／Ｃ２０及び島３０は、ＬＡＮ（ローカルエリアネットワーク）２５を介して相互に接続されている。
【００２２】
このパチンコ店３内の各島３０は、島コントローラ（Ｓ／Ｃ）４０、該Ｓ／Ｃ４０により制御される複数の遊技ユニット５０、プリペイドカード等のカードの販売を行うカード発行機６０、これらカードの精算（カードに記憶された有価価値の残価に応じた現金等の払い出し）を行うカード精算機７０等により構成されている。
【００２３】
カード発行機６０は、通常、各島３０毎に１台程度設けられ、カード発行時に当該カードに対してＩＤ番号（磁気ストライプには媒体ＩＤ、表面には目視可能な表示ＩＤ）を付与する。
【００２４】
すなわち、カード発行機６０では、カードの発行が指示されて金額が選択指定されると、この選択指定された金額分の金額データ（初期度数）と共に発行店、日付、媒体ＩＤ等の情報をカードの磁気ストライプ部に磁気記録し、かつカード表面に金額と表示ｌＤを印字したプリペイドカード６１を発行する。
【００２５】
なお、磁気ストライプ部に記録された媒体ＩＤは暗号化されており、カード表面に印字された表示ＩＤとは異なっているのがセキュリティの保護の為には有益である。
【００２６】
媒体ＩＤについては、発行時にＩＤが付与されるものであっても良いし、カード発行機６０や図示しないカード更新機等に装填される前から予めＩＤが付与されているものであっても良い。
【００２７】
このプリペイドカード６１の発行に先立ち、カード発行機６０は、Ｔ／Ｃ２０ヘカード発行データの登録を要求すると共に、発行の可否を問い合わせ、発行可の時のみプリペイドカード６１を発行する。
【００２８】
また、パチンコ店３内の各島３０において、遊技ユニット５０は、遊技機５１０と、隣接する遊技機５１０との間の台間に設けられるカード処理ユニット５２０とにより構成される。
【００２９】
カード処理ユニット５２０は、カード挿入／排出口及び貸し出し要求手段を少なくとも有し、遊技客によりカード挿入／排出口に例えばプリペイドカード６１が挿入されると、Ｔ／Ｃ２０に問い合わせてその有価価値データを取得し、遊技客による遊技機５１０への遊技媒体の貸し出し要求に基づき、当該有価価値データ（残度数）の範囲内で、遊技媒体を貸し出す処理を行う。遊技客は、この遊技媒体を用いてパチンコ等のプレイを行うことができる。
【００３０】
なお、本システムにおいて、遊技機５１０の種別としては、ＣＲパチンコ台の他、パチスロ機やパチンコ台等があり、カード処理ユニット５２０としては、上記種別に対応して、ＣＲカードユニット、カードメダル貸機、カード玉貸機等が設けられる。
【００３１】
上述した各島３０の構成要素は、ＬＡＮ２５で接続され、相互にあるいはＴ／Ｃ２０との間でデータ交換を行うことができるようになっている。
【００３２】
Ｔ／Ｃ２０は、各島３０の各構成要素から収集したデータを基に所定のデータベースを構築すると共に、これらデータを逐次イベントがある毎に更新することで、カード発行機６０にて発行されたカードに関する種々の情報、例えば、発行日、当初の購入金額、残存する有価データ、カード発行機６０での売上や遊技ユニット５０で貸し玉と交換した後の残額等に関するデータを、そのカードＩＤを基に管理している。
【００３３】
更に、Ｔ／Ｃ２０は、パチンコ店外のカード会社センタ１の経営コンピュータと公衆回線網２により接続されており、この経営コンピュータを用いてＴ／Ｃ２０内のデータを管理できるようになっている。
【００３４】
以上の各構成要素を含む部分全体は、パチンコ店３などの遊技場向けに普及しているプリペイドカードシステムと呼べるものである。
【００３５】
本発明のシステムの構成上の特徴として、上記各島３０の構成要素として更にデビット端末８０（特許請求の範囲中の決済処理端末に相当）が追加されている。このデビット端末８０は、図１に示す如く、カード発行機６０に隣接して設置され、かつ当該カード発行機６０とＬＡＮ２５により接続されている。
【００３６】
このデビット端末８０は、パチンコ店３の店外において、公衆回線網４を介して情報処理センタ５に接続されている。更に、情報処理センタ５は、カード発行銀行７−１、決済銀行７−２、加盟店銀行７−３のそれぞれのコンピュータとＣＡＦＩＳネットワーク６（クリアリングセンタ６ａを含む）を介して接続されている。
【００３７】
このＣＡＦＩＳネットワーク６を核とし、更に、情報処理センタ５からパチンコ店３内に設置されたデビット端末８０へとつながる部分全体は、デビットカードシステムと呼べるものである。
【００３８】
このことから、本発明のシステム（図１参照）は、デビットカードシステムの末端のデビット端末８０をプリペイドカードシステムの末端のカード発行機６０に接続し、各パチンコ店３内の構成要素としたものと言える。
【００３９】
この本発明のシステムにおいて、デビット端末８０は、接続されたカード発行機６０と協同し、該カード発行機６０からのプリペイドカード６１の発行に関するデビットカードによる決済処理機能を有するものである。
以下、これらデビット端末８０及びカード発行機６０でのデビットカード（キャッシュカード）によるプリペイドカード発行時の決済処理について各実施例を挙げて説明する。  
【実施例１】
【００４０】
図２は、実施例１に係わるデビット端末８０とカード発行機６０の構成及び接続態様を示す概念図である。
【００４１】
本実施例において、デビット端末８０には、外観上、取引金額や入力操作ガイダンス等の各種情報を表示する表示部８０５、テンキー等のキーを備え、キャッシュカード（デビットカード）８１の暗証番号や取引金額等を入力するキー操作部８０６、キャッシュカード８１を挿入するカード挿入／排出口８０７が備わる。
【００４２】
一方、カード発行機６０には、外観上、プリペイドカード６１を購入するための紙幣を投入する紙幣投入口６０５、プリペイドカード６１の発行金額を選択する選択ボタン６０６（この例では、１０００円、２０００円、５０００円、１０００円のプリペイドカードの発行と両替の選択ができる構成）、紙幣投入口６０５から投入された紙幣等の金額を表示する金額表示部６０７、選択ボタン６０６のうちの両替ボタンが押下された時の両替金（紙幣）等を払い出す紙幣払出口６０８、選択ボタン６０６にて選択された発行金額に応じたプリペイドカード６１を発行（排出する）カード発行口６０９が備わる。
【００４３】
この構成において、カード発行機６０は、単体としてのプリペイドカード発行機能を有する他、デビット端末８０と協同し、キャッシュカード８１によるプリペイドカード６１の発行機能を有している。
【００４４】
前者のプリペイドカードの発行は以下の手順でなされる。遊技客がプリペイドカードを購入しようとした場合、カード発行機６０において、紙幣投入口６０５から紙幣を投入する。投入された紙幣の金額は金額表示部６０７に表示されるとともに、この金額で購入可能な範囲内の選択ボタン６０６が点灯される。
【００４５】
遊技客が、点灯中の選択ボタン６０６のうちのいずれかを押下すると、カード発行機６０内部のカードにこの押下された選択ボタン６０６に対応する度数（有価価値）が書き込まれ、該カードが、今回遊技客が指定した度数のプリペイドカード６１としてカード発行口６５から排出される。
【００４６】
遊技客はこのプリペイドカード６１を受け取り、上述した遊技機５１０脇のカード処理ユニット５２０に挿入することで、当該カード６１に付与された度数の範囲内で指定度数に応じた遊技媒体を得て当該遊技機５１０でのプレイを開始することができる。
【００４７】
次に、実施例１におけるキャッシュカード８１を用いたプリペイドカード発行時の処理動作について述べる。図３はこの場合におけるデビット端末８０の処理動作を示すフローチャートであり、図４は同カード発行機６０の処理動作を示すフローチャートである。なお、これらフローチャート中の丸数字は、図２の構成における処理の流れを示す丸数字に対応したものである。
【００４８】
図３において、遊技客がデビット端末８０のカード挿入／排出口８０７にキャッシュカード８１を挿入すると（ステップＳ１０１）、デビット端末８０は、この挿入されたキャッシュカード８１を受け入れてカード情報を抽出するとともに、該遊技客に対して暗証番号の入力を要求する（ステップＳ１１０）。
【００４９】
この要求を例えば表示部８０５での表示により確認した遊技客がデビット端末８０に設けられたキー操作部８０６から自己の暗証番号を入力すると（ステップＳ１０２）、更に、デビット端末８０は該遊技客に対して引き落とし金額の入力を要求する（ステップＳ１１１）。
【００５０】
この要求を例えば表示部８０５での表示により確認した遊技客がキー操作部８０６から希望の引き落とし金額を入力すると（ステップＳ１０３）、次いで、デビット端末８０は、公衆回線網４により情報処理センタ５にアクセスし、入力された引き落とし金額による決済処理を行う（ステップＳ１１２）。
【００５１】
なお、この決済処理は例えば以下の手順で実現できる。まず、上記引き落とし金額が入力された後、デビット端末８０は、その金額データと、それまでに得たカード情報及び暗証番号等を含む決済代行・通信代行の依頼（決済要求）を情報処理センタ５に送出する。
【００５２】
情報処理センタ５では、上記決済要求を受信すると、受信した各種データを基に、ＣＡＦＩＳ（Credit and Finance Information System）ネットワーク６のクリアリングセンタ６ａに決済処理を依頼する（図１参照）。
【００５３】
この依頼を受けたクリアリングセンタ６ａは、カード発行銀行７−１、決済銀行７−２、加盟店銀行７−３間で決済処理を行ない、このうちの即時実行する必要のある処理〔例えば、カード発行銀行７−１での、今回の決済要求にて通知されたカード情報中から抽出したＩＤ（キャッシュカード８１を特定するＩＤ）に対応する口座から当該決済要求で通知された引き落とし金額分を引き落とす処理等〕が終了すると、情報処理センタ５に処理終了の通知を行う。更に、情報処理センタ５は、クリアリングセンタ６ａからの上記通知を基にデビット端末５に対して決済終了通知を行う。
【００５４】
なお、即時実行分以外の決済処理は、予め決められた期間後（例えば、３営業日後）に実施され、最終的に、上記利用料金から上記決済処理により手数料等を差し引かれた代金が加盟店銀行７−３の情報処理センタ５の口座に振り込まれる。
【００５５】
その後、この加盟店銀行７−３の情報処理センタ５の口座に振り込まれた代金から情報処理センタ５の手数料を差し引いた代金が、××銀行７−４のカード会社（カード会社センタ１を運営する）の口座に振り込まれる。
【００５６】
更に、その後、この××銀行７−４のカード会社の口座に振り込まれた代金から各パチンコ店３の口座に、カード会社とパチンコ店３の取り決めに従い、プリペイドカード６１の使用度数に応じた代金が振り込まれる。
【００５７】
さて、上述した決済処理の実行中、デビット端末８０が、情報処理センタ５からの上記決済終了通知により、当該決済処理が正常に終了したことを認識すると（ステップＳ１１３ＹＥＳ）、次いで、デビット端末８０は、この決済完了した金額に相当する金額データをカード発行機６０に通知し（ステップＳ１１４）、その後、カード挿入／排出口８０７内に受け入れているキャッシュカード８１を遊技客に返却し（ステップＳ１１５）、処理を終了する。
【００５８】
なお、上記決済処理が正常に行われない場合は（ステップＳ１１３ＮＯ）、デビット端末８０は、キャッシュカード８１を遊技客に返却し（ステップＳ１１５）、処理を終了する。
【００５９】
一方、図４において、カード発行機６０は、デビット端末８０におけるステップＳ１１４の処理にて通知される金額データの通知を受けると、この通知された金額データに相当する金額を金額表示部６０７に表示すると共に、当該金額で購入可能な範囲の選択ボタン６０６を点灯状態に制御する（ステップＳ１２１）。
【００６０】
上記選択ボタン６０６の点灯中、遊技客が、その点灯中の選択ボタン６０６のうちのいずれかを押下すると（ステップＳ１３０）、カード発行機６０は、この押下された選択ボタン６０６に対応する金額データ（有価価値の度数）を書き込んだプリペイドカード６１をカード発行口６０９から排出する（ステップＳ１２２）。
【００６１】
次に、カード発行機６０は、デビット端末８０から通知された決済完了済み金額データとステップＳ１２２処理時に発行カード６１に書き込んだ度数（発行金額）との間に金額の差があるかどうかをチェックする（ステップＳ１２３）。
【００６２】
ここで、金額の差がなければ（ステップＳ１２３ＮＯ）、選択ボタン６０６を消灯（ステップＳ１２５）後、処理を終了する。また、上記金額の差があれば（ステップＳ１２３ＹＥＳ）、その差額分の現金（紙幣）を紙幣払出口６０８から排出し（ステップＳ１２４）、その後、選択ボタン６０６を消灯し（ステップＳ１２５）、処理を終了する。
【００６３】
このようにして、第１の実施例では、カード発行機６０での現金によるプリペイドカード発行の他、デビット端末８０を介してキャッシュカード８１によるプリペイドカード発行の機能もサポートしている。
【００６４】
なお、本実施例の場合、プリペイドカード発行に係わる金額の入力（これが、決済処理開始のトリガとなる）はあくまでもデビット端末８０の方であり、情報処理センタ５に対しては、デビット端末８０から入力された上記金額で決済処理を実施する。
【００６５】
これに対し、カード発行機６０は、決済処理完了後、決済済みの金額データを、直接現金が投入されたものと同等に表示し、この表示された金額の範囲内で選択ボタン６０６を点灯してプリペイドカード６１の発行制御を行うと共に、表示中の金額と発行額との間に金額差があれば、その差分の金額を現金（紙幣）でカード発行機６０から払い出すものである。
【００６６】
なお、カード発行機６０において、決済処理済みの金額を金額表示部６０７に表示後、選択ボタン６０６のうちの金額ボタンが押下されないままに両替ボタンが押下されると、該カード発行機６０は、表示中の金額分の現金を紙幣払出口６０８から払い出す処理を行う。
【００６７】
従って、本実施例に係わる構成は、遊技者にとって、キャッシュカード８１による現金引き出し機としての機能も提供する。パチンコ店３の店舗内には、ＣＲ機以外にも、パチスロ機や自動販売機等、現金を利用する機器が存在するため、現金を引き出せることは、これらの機器を利用するうえで非常に便利である。
【００６８】
なお、本実施例の変形例としては、デビット端末８０側での引き落とし金額の入力に関して、最低金額、最高金額等を予め設定しておき、この範囲内でのみ決済処理を許容するようにしても良い。また、この場合における最低金額、最高金額の設定は、デビット端末８０毎に端末自身で設定しても良いし、上位機（Ｔ／Ｃ２０等）から設定しても良い。
【実施例２】
【００６９】
図５は、実施例２に係わるデビット端末８０とカード発行機６０の構成及び接続態様を示す概念図である。
【００７０】
本実施例において、デビット端末８０の外観上の構成は第１の実施例のものと同じである。一方、カード発行機６０については、外観上、選択ボタンの構成のみが実施例１のものと異なる。
【００７１】
本実施例に係わるカード発行機６０には、選択ボタンとして、第１の実施例の選択ボタン６０６と同様の、つまりプリペイドカード６１のみの発行を指示するためにその金額を選択する選択ボタン（以下、第１選択ボタンという）６０６Ａと、プリペイドカード６１の発行と現金の払い出しを同時に指示するためにこれらの金額の組み合わせを選択する選択ボタン（同、第２選択ボタンという）６０６Ｂが備わっている。なお、第１選択ボタン６０６Ａ、第２選択ボタン６０６Ｂ共に、それぞれ、カード金額、あるいはカード金額と現金の組み合わせが予め決められた複数のボタンが用意されている。
【００７２】
次に、実施例２におけるキャッシュカード８１を用いたプリペイドカード発行時の処理動作について述べる。図６はこの場合におけるデビット端末８０の処理動作を示すフローチャートであり、図７は、同カード発行機６０の処理動作を示すフローチャートである。なお、これらフローチャート中の丸数字は、図５の構成における処理の流れを示す丸数字に対応したものである。
【００７３】
図６において、遊技客がデビット端末８０のカード挿入／排出口８０７にキャッシュカード８１を挿入すると（ステップＳ２０１）、デビット端末８０は、この挿入されたキャッシュカード８１を受け入れてカード情報を抽出するとともに、該遊技客に対して暗証番号の入力を要求する（ステップＳ２１０）。
【００７４】
この要求を例えば表示部８０５での表示により確認した遊技客がデビット端末８０に設けられたキー操作部８０６から自己の暗証番号を入力すると（ステップＳ２０２）、デビット端末８０は、表示部８０５に対してカード発行操作が行える旨の表示を行うと共に、カード発行機６０に対してカード発行操作要求を送出する（ステップ２１１）。
【００７５】
その後、デビット端末８０は、上記発行操作要求に対する、カード発行機６０からの選択金額データの通知（図７におけるステップ２２２の処理に相当）待ちとなる。
【００７６】
この間、カード発行機６０から選択金額データの通知があると、デビット端末８０は、公衆回線網４により情報処理センタ５にアクセスし、カード発行機６０から通知された選択金額データによる決済処理を行う（ステップＳ２１２）。
【００７７】
なお、この決済処理は実施例１で説明した手順と同様の手順で実現できる。但し、この場合の引き落とし金額は、デビット端末８０のキー操作部８０６から入力される金額ではなく、後述する如く、カード発行機６０にて押下された選択ボタン６０６Ａ，６０６Ｂに対応する金額である。
【００７８】
上記決済処理実行中、デビット端末８０が、情報処理センタ５からの決済終了通知により、当該決済処理が正常に終了したことを認識すると（ステップＳ２１３ＹＥＳ）、次いで、デビット端末８０は、この決済完了の旨をカード発行機６０に通知し（ステップＳ２１４）、その後、キャッシュカード８１を遊技客に返却し（ステップＳ２１５）、処理を終了する。
【００７９】
また、上記決済処理が正常に行われない場合は（ステップＳ２１３ＮＯ）、デビット端末８０は、キャッシュカード８１を遊技客に返却し（ステップＳ２１５）、処理を終了する。
【００８０】
一方、図７において、カード発行機６０は、デビット端末８０におけるステップＳ２１１の処理にて通知されるカード発行操作可要求を受信すると、全ての選択ボタン６０６Ａ及び６０６Ｂを点灯状態に制御する（ステップＳ２２１）。
【００８１】
上記選択ボタン６０６Ａ、６０６Ｂの点灯中、遊技客が、その点灯中の選択ボタン６０６Ａまたは６０６Ｂのうちのいずれかを押下すると（ステップＳ２３０）、カード発行機６０は、この押下された選択ボタン６０６Ａまたは６０６Ｂに対応する金額データをデビット端末８０に送出する（ステップＳ２２２）。
【００８２】
ここで、もし、選択ボタン６０６Ｂが押下された場合、カード発行機６０は、この押下された選択ボタン６０６Ｂに関して予め組み合わせが決められているカード金額と現金の合算値を集計し、該選択金額合算値をデビット端末８０に送出する。
【００８３】
その後、カード発行機６０は、上記ステップ２２２での選択金額通知に対する、デビット端末８０からの決済完了の通知（図７におけるステップＳ２１４の処理に相当）待ちとなる。
【００８４】
この間、デビット端末８０から、上記ステップＳ２１４により決済完了通知があると、カード発行機６０は、ステップ２３０で押下された選択ボタン６０６Ａまたは６０６Ｂに対応してプリペイドカード６１の単独発行またはプリペイドカード６１の発行及び現金排出の同時処理を行い（ステップＳ２２３）、その後、選択ボタン６０６Ａ、６０６Ｂを消灯状態に制御し（ステップＳ２２４）、処理を終了する。
【００８５】
上記ステップＳ２２３の処理において、カード発行機６０は、ステップＳ２３０で選択ボタン６０６Ａが押下されている場合には、該選択ボタン６０６Ａの金額相当の金額データ（有価価値度数）を書き込んだプリペイドカード６１をカード発行口６０９から排出する処理のみを行う。
【００８６】
また、ステップＳ２３０で選択ボタン６０６Ｂが押下されている場合には、該選択ボタン６０６Ｂに対応するカード金額と現金の組み合わせに従い、当該カード金額相当の金額データ（有価価値度数）を書き込んだプリペイドカード６１をカード発行口６０９から排出すると共に、当該金額相当の現金（紙幣）を紙幣排出口６０８より排出する処理を行う。
【００８７】
例えば、図５に例示するように、ステップ２３０でカードが２０００円で現金が８０００円の組み合わせを設定した選択ボタン６０６Ｂが押下されている場合、カード発行機６０では、２０００円に対応した度数（有価価値）を書き込んだプリペイドカード６１をカード発行口６０９から排出すると共に、現金８０００円を紙幣排出口６０８から排出する処理を同時に実行する。
【００８８】
なお、この時には、ステップ２３０でカードが２０００円で現金が８０００円の組み合わせを設定した選択ボタン６０６Ｂが押下されるのに伴って、カード発行機６０からデビット端末８０へは当該選択金額の合算値（１００００円）が通知され、デビット端末８０では、ステップＳ２１２において、当該選択金額合算値での決済処理を行うことになる。
【００８９】
このようにして、実施例２においても、デビット端末８０を介してキャッシュカード８１によるカード発行機６０からのプリペイドカード６１の発行を行うことができる。
【００９０】
なお、実施例１では、プリペイドカード発行に係わる金額の入力（これが、決済処理開始のトリガとなる）はデビット端末８０側に託されていたが、実施例２では、同入力がカード発行機６０側に託されている。
【００９１】
特に、実施例２では、カード発行機６０がカード単独発行のための第１の選択ボタン６０６Ａの他、カード発行と現金払い出しを行うために一体化された第２の選択ボタン６０６Ｂを設け、第２の選択ボタン６０６Ｂが押下された場合には、該選択ボタン６０６Ｂに予め設定されている組み合わせに対応したカード金額と現金との合算値をデビット端末８０に通知して当該合算値で決済処理を行い、決済処理完了後、上記組み合わせに応じた額のプリペイドカード６１の発行と現金の払い出しを同時に行うようになっている。
【００９２】
つまり、実施例２のものも、キャッシュカード８１による現金引き出し機としての機能を有するも、わざわざ、両替ボタンを押下することなく、第２の選択ボタン６０６Ｂを押下することで、当該選択ボタン６０６Ｂに予め対応付けられた額の現金をプリペイドカード６１と共に得られるようになっている。
【００９３】
なお、本実施例の変形例としては、一体化選択ボタン６０６Ｂに関するカード金額と現金の組み合わせを固定とせず、自由に設定可能に構成しても良い。
【実施例３】
【００９４】
図８は、実施例３に係わるデビット端末８０とカード発行機６０の構成及び接続態様を示す概念図である。
【００９５】
本実施例において、デビット端末８０の外観上の構成は実施例１のものと同じである。一方、カード発行機６０については、外観上、選択ボタンの構成が実施例１、２のものと異なる。
【００９６】
本実施例に係わるカード発行機６０には、選択ボタンとして、実施例１、２の選択ボタン６０６（６０６Ａ）と同様の、つまりプリペイドカード６１のみの発行を指示するためにその金額を選択する選択ボタン（以下、カード選択ボタンという）６０６Ｃと、現金の払い出しのみを指示するためにその金額を選択する選択ボタン（同、現金選択ボタンという）６０６Ｄが備わっている。なお、カード選択ボタン６０６Ｃ、現金選択ボタン６０６Ｄ共に、それぞれ、カード金額あるいは現金の値が予め決められた複数のボタンが用意されている。
【００９７】
更に、カード発行機６０には、上記カード選択ボタン６０６Ｃ、現金選択ボタン６０６Ｄに付随するものとして、これら選択ボタン６０６Ｃ、６０６Ｄを１つずつ順に押下した後にその組み合わせを確定する指示を与える確定ボタン６１０が設けられている。
【００９８】
カード発行機６０におけるそれ以外の構成は、実施例1、２のものと同様である。
【００９９】
次に、実施例３におけるキャッシュカード８１を用いたプリペイドカード発行時の処理動作について述べる。
【０１００】
図９はこの場合におけるデビット端末８０の処理動作を示すフローチャートであり、図１０は同カード発行機６０の処理動作を示すフローチャートである。なお、これらフローチャート中の丸数字は、図８の構成における処理の流れを示す丸数字に対応したものである。
【０１０１】
図９において、遊技客がデビット端末８０のカード挿入／排出口８０７にキャッシュカード８１を挿入すると（ステップＳ２４１）、デビット端末８０は、この挿入されたキャッシュカード８１を受け入れてカード情報を抽出するとともに、該遊技客に対して暗証番号の入力を要求する（ステップＳ２５０）。
【０１０２】
この要求を例えば表示部８０５での表示により確認した遊技客がデビット端末８０に設けられたキー操作部８０６から自己の暗証番号を入力すると（ステップＳ２４２）、デビット端末８０は、表示部８０５に対してカード発行操作が行える旨の表示を行うと共に、カード発行機６０に対してカード発行操作要求を送出する（ステップ２５１）。
【０１０３】
その後、デビット端末８０は、上記発行操作要求に対する、カード発行機６０からの選択金額合算値の通知（図１０におけるステップ２６５の処理に相当）待ちとなる。
【０１０４】
この間、カード発行機６０から選択金額合算値の通知があると、デビット端末８０は、公衆回線網４により情報処理センタ５にアクセスし、カード発行機６０から通知された選択金額値による決済処理を行う（ステップＳ２５２）。
【０１０５】
なお、この決済処理も実施例１で説明した手順と同様の手順で実現できる。但し、この場合の引き落とし金額は、実施例２と同様、デビット端末８０のキー操作部８０６から入力される金額ではなく、後述する如く、カード発行機６０にて押下された選択ボタン６０６Ｃ，６０６Ｄに対応する金額である。
【０１０６】
上記決済処理実行中、デビット端末８０が、情報処理センタ５からの決済終了通知により、当該決済処理が正常に終了したことを認識すると（ステップＳ２５３ＹＥＳ）、次いで、デビット端末８０は、この決済完了の旨をカード発行機６０に通知し（ステップＳ２５４）、その後、キャッシュカード８１を遊技客に返却し（ステップＳ２５５）、処理を終了する。
【０１０７】
また、上記決済処理が正常に行われない場合は（ステップＳ２５３ＮＯ）、デビット端末８０は、キャッシュカード８１を遊技客に返却し（ステップＳ２５５）、処理を終了する。
【０１０８】
一方、図１０において、カード発行機６０は、デビット端末８０におけるステップＳ２５１の処理にて通知されるカード発行操作可要求を受信すると、全ての選択ボタン６０６Ｃ及び６０６Ｄを点灯状態に制御する（ステップＳ２６１）。
【０１０９】
上記選択ボタン６０６Ｃ、６０６Ｄの点灯中、遊技客が、その点灯中の選択ボタン６０６Ｃまたは６０６Ｄのうちのいずれかを押下すると（ステップＳ２７０）、カード発行機６０は、この選択ボタン６０６Ｃまたは６０６Ｄが押下されたとの履歴情報を作成、保持し（ステップＳ２６２）、次いで、確定ボタン６１０が押下されたか否かを判断する（ステップＳ２６３）。
【０１１０】
その後、確定ボタン６１０が押下されない限り（ステップＳ２６３ＮＯ）、カード発行機６０は、選択ボタン６０６Ｃ、６０６Ｄの押下操作（ステップＳ２７０）の受け付けと、該操作に対応した押下履歴の保持（ステップＳ２６２）の処理を続ける。
【０１１１】
そして、この間、確定ボタン６１０が押下されると（ステップＳ２６３ＹＥＳ）、カード発行機６０は、ステップＳ２６２で保持した押下履歴を基に確定ボタン６１０が押下されるまで押下された選択ボタン６０６Ｃ、６０６Ｄに対応する選択金額の合算値を集計し（ステップＳ２６４）、この選択金額合算値をデビット端末８０に送出する（ステップＳ２６５）。
【０１１２】
その後、カード発行機６０は、上記ステップ２６５での選択金額合算値通知に対する、デビット端末８０からの決済完了の通知（図９におけるステップＳ２５４の処理に相当）待ちとなる。
【０１１３】
この間、デビット端末８０から、上記ステップＳ２５４により決済完了通知があると、カード発行機６０は、ステップ２６２で保持した押下履歴を基に、ステップＳ２７０で押下された選択ボタン６０６Ｃ、６０６Ｄに対応してプリペイドカード６１の単独発行または現金のみの払い出しもしくはプリペイドカード６１の発行及び現金払い出しの同時処理のいずれかを実施し（ステップＳ２６６）、その後、選択ボタン６０６Ｃ、６０６Ｄを消灯状態に制御し（ステップＳ２６７）、処理を終了する。
【０１１４】
上記ステップＳ２６６の処理において、カード発行機６０は、ステップＳ２７０でカード選択ボタン６０６Ｃのみ押下されている場合には、該選択ボタン６０６Ｃの金額相当の金額データ（有価価値度数）を書き込んだプリペイドカード６１をカード発行口６０９から排出する処理のみを行う。
【０１１５】
また、ステップＳ２７０で現金選択ボタン６０６Ｄのみが押下されている場合には、該選択ボタン６０６Ｄに対応する金額相当の現金（紙幣）を紙幣排出口６０８より排出する処理のみを行う。
【０１１６】
更に、ステップＳ２７０でカード選択ボタン６０６Ｃと現金選択ボタン６０６Ｄとが押下されている場合、これら選択ボタン６０６Ｃ、６０６Ｄの組み合わせに従い、カード選択ボタン６０６Ｃに対応するカード金額相当の金額データ（有価価値度数）を書き込んだプリペイドカード６１をカード発行口６０９から排出すると共に、現金選択ボタン６０６Ｄに対応する金額相当の現金（紙幣）を紙幣排出口６０８より排出する処理を同時に実行する。
【０１１７】
例えば、図８に例示するように、ステップ２７０でカード金額５０００円選択を設定した選択ボタン６０６Ｃと現金３０００円選択を設定した選択ボタン６０６Ｄが押下されている場合、カード発行機６０では、５０００円に対応した度数（有価価値）を書き込んだプリペイドカード６１をカード発行口６０９から排出すると共に、現金３０００円を紙幣排出口６０８から排出する処理を同時に実行する。
【０１１８】
なお、この時には、ステップ２７０でカード金額５０００円選択を設定した選択ボタン６０６Ｃと現金３０００円選択を設定した選択ボタン６０６Ｄが押下されるのに伴って、カード発行機６０からデビット端末８０へは当該選択金額の合算値（８０００円）が通知され、デビット端末８０では、ステップＳ２５２において、当該選択金額合算値での決済処理を行うことになる。
【０１１９】
このようにして、第３の実施例においても、デビット端末８０を介してキャッシュカード８１によるカード発行機６０からのプリペイドカード６１の発行を行うことができる。
【０１２０】
なお、実施例３も、実施例２と同様、プリペイドカード発行に係わる金額の入力（これが、決済処理開始のトリガとなる）はカード発行機６０側に託されている。
【０１２１】
特に、実施例３では、カード発行機６０がカード単独発行のためのカード選択ボタン６０６Ｃと、現金払い出しを行うための現金選択ボタン６０６Ｄと、確定ボタン６１０を設け、確定ボタン６１０が押下されるまでになされた、例えば、カード選択ボタン６０６Ｃまたは現金選択ボタン６０６Ｄ若しくはカード選択ボタン６０６Ｃ及び現金選択ボタン６０６Ｄの押下履歴に従い、これら押下された選択ボタン６０６Ｃ、６０６Ｄに対応する、プリペイドカード６１の単独発行または現金の単独払い出し若しくはプリペイドカード６１の発行と現金の払い出しの同時実行の各処理を行うようになっている。
【０１２２】
なお、本実施例の変形例としては、カード選択ボタン６０６Ｃ、現金選択ボタン６０６Ｄに関する選択金額値は固定とせず、自由に設定可能に構成しても良い。本実施例では、上記設定次第では、遊技客のニーズに対応した、プリペイドカード６１のみの発行、現金のみの払い出し、あるいはプリペイドカード６１の発行及び現金の払い出しといった、種々のパターンの運用が可能になる。
【０１２３】
また、上記各実施例では、カード発行機６０から発行されたプリペイドカード６１をカード処理ユニット５２０では使用せず、精算機７０（図１参照）にて現金に精算するような運用も可能である。この場合には、カード発行機６０では現金の払い出し（キャッシュアウト）は行っていないものの、精算機７０を介して、結果的に、キャッシュアウトを実現し得ることになる。
【０１２４】
また、上記各実施例では、金額データ（有価価値）がカード（遊技用記憶媒体）自体に書き込まれたシステムについて述べたが、カード自体に金額データが書き込まれずにＩＤ符号が書き込まれ、このＩＤ符号に対応する有価価値がＴ／Ｃ２０に記憶されるようなシステムにも適用可能である。
【０１２５】
この場合、本システムのカード発行機６０としては、有価価値そのものでは無く該有価価値に関連する情報（ＩＤ符号）が記憶されたカードを発行する機能を有したものを用いれば良く、媒体貸出機としては、上記有価価値に関連する情報（ＩＤ符号）が記憶されたカードを受け入れ、該カードに関連する有価価値に応じて遊技媒体を貸し出す機能構成のものを用いれば良い。
【０１２６】
また、上記各実施例では、デビット端末８０が接続される機器としては、カード発行機６０を挙げているが、この種の機器はカード発行機６０に限られるものではなく、例えば、両替機または券売機等とすることもできる。
【０１２７】
更に、上記各実施例では、デビット端末８０とカード発行機６０とを独立に設けた場合について述べたが、これらデビット端末８０とカード発行機６０とを１ユニット（請求項７の遊技料金処理ユニットに相当）内に一体化した構造（デビット端末８０と両替機または券売機等の組み合わせにおいても利用可能）としても良い。
【０１２８】
現状のデビットカードシステムでは、物品（本発明においては、プリペイドカード６１）購入とキャッシュアウトを同時に行うことはできず、これら両方の希望がある場合に、デビット端末８０から最低２回は決済センタに更新に行かなければならず、決済手数料がかさみかつ手間が増えることになる。
【０１２９】
この点、本発明を適用した場合には、物品（プリペイドカード６１）購入とキャッシュアウトを同時に行うようにし、そのために決済センタへいく回数を１回で済ませて、決済手数料及び手間を最小限に抑えることができる。
【産業上の利用可能性】
【０１３０】
本発明の遊技料金処理ユニットは、パチンコ店等の遊技場において利用可能である。
【図面の簡単な説明】
【０１３１】
【図１】本発明の遊技システムの全体構成を示すブロック図。
【図２】実施例１に係わるデビット端末とカード発行機の構成及び接続態様を示す概念図。
【図３】実施例１におけるデビット端末の処理動作を示すフローチャート。
【図４】同カード発行機での処理動作を示すフローチャート。
【図５】実施例２に係わるデビット端末とカード発行機の構成及び接続態様を示す概念図。
【図６】実施例２におけるデビット端末の処理動作を示すフローチャート。
【図７】同カード発行機での処理動作を示すフローチャート。
【図８】実施例３に係わるデビット端末とカード発行機の構成及び接続態様を示す概念図。
【図９】実施例３におけるデビット端末の処理動作を示すフローチャート。
【図１０】同カード発行機での処理動作を示すフローチャート。
【符号の説明】
【０１３２】
１    カード会社センタ
２，４    公衆回線網
３−１，３−２，〜，３−ｎ    パチンコ店
５    情報処理センタ
６    ＣＡＦＩＳネットワーク
６ａ    クリアリングセンタ
７−１    カード発行銀行
７−２    決済銀行
７−３    加盟店銀行
７−４    カード会社取引銀行
７−５    パチンコ店口座
１０    カウンタ部
２０    ターミナルコントローラ（Ｔ／Ｃ）
２５    ローカルエリアネットワーク（ＬＡＮ）
３０    島
４０    島コントローラ（Ｓ／Ｃ）
５０    遊技ユニット
５１０    遊技機
５２０    カード処理ユニット
６０    カード発行機
６１    プリペイドカード
６０５    紙幣投入口
６０６    選択ボタン
６０６Ａ    第１選択ボタン
６０６Ｂ    第２の選択ボタン
６０６Ｃ    カード選択ボタン
６０６Ｄ    現金選択ボタン
６０７    金額表示部
６０８    紙幣払出口
６０９    カード発行口
６１０    確定ボタン
７０    カード精算機
８０    デビット端末
８１    キャッシュカード（デビットカード）
８０５    表示部
８０６    キー操作部
８０７    カード挿入／排出口
【図１】
2006341123.tif 000003
【図２】
2006341123.tif 000004
【図３】
2006341123.tif 000005
【図４】
2006341123.tif 000006
【図５】
2006341123.tif 000007
【図６】
2006341123.tif 000008
【図７】
2006341123.tif 000009
【図８】
2006341123.tif 000010
【図９】
2006341123.tif 000011
【図１０】
2006341123.tif 000012